【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
ＶＰＮを接続しＶＰＮの拠点間のパケット転送を行う第１のネットワークと、
端末１を有し、前記第１のネットワークにレイヤ３によって接続する第２のネットワークと、
端末２を有し、前記第１のネットワークにレイヤ２によって接続する第３のネットワークと
を備え、ＶＰＮを構成するネットワークシステムにおける仮想ネットワーク接続方法であって、
前記第２のネットワークを接続し、第１のネットワークに属する第１のネットワーク装置（ＰＥ１）を備え、
前記ＰＥ１は、
ＶＰＮ番号に対応して、宛先のＩＰアドレス、出力インターフェース（ＩＦ）、ネクストホップ、宛先ネットワーク装置（ＰＥ）のＭＡＣアドレスを対応して記憶するフォワーディングテーブルと、
ＶＰＮ番号に対応して、宛先のＩＰアドレス及びＭＡＣアドレスを記憶する端末情報テーブルと、
を備え、
ＰＥ１は、端末１から端末２に向けた第１のパケットを受信し、
ＰＥ１は、第１のパケットに基づき、ＶＰＮ番号及び宛先端末２のＩＰアドレスを用いてフォワーディングテーブルを検索し、パケット転送に必要な、出力ＩＦ及び／又は宛先第２のネットワーク装置（ＰＥ２）のＭＡＣアドレスが存在しない場合、第１のパケットを一時的に保存し、第１のネットワークを経由して端末２に対してＡＲＰリクエストパケットを送信し、
ＰＥ１は、端末２から、第１のネットワークを経由して、ＡＲＰリクエストパケットに対する応答としてＡＲＰリプライパケットを受信し、
ＰＥ１は、ＡＲＰリプライパケットに基づき、フォワーディングテーブルに、ＶＰＮ番号及び宛先ＩＰアドレスに対する、出力ＩＦ及び宛先ＰＥ２のＭＡＣアドレスを記憶し、また、端末情報テーブルに、ＶＰＮ番号に対する、ＶＬＡＮ番号及び宛先端末２のＩＰアドレス及びＭＡＣアドレスを記憶することで、更新し、
ＰＥ１は、更新したフォワーディングテーブルと端末情報テーブルを用いて、一時的に保存していた第１のパケットについて、宛先ＰＥ２のＭＡＣアドレス、送信元ＰＥ１のＭＡＣアドレス、ＶＰＮ番号、宛先端末２のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、第１のネットワークを経由して端末２に向け送信する
仮想ネットワーク接続方法。
【請求項２】
請求項１記載の仮想ネットワーク接続方法であって、
ＰＥ１は、端末２から端末１に向けた第３のパケットを受信し、
ＰＥ１は、第３のパケットに基づき、ＶＰＮ番号及び宛先端末１のＩＰアドレスを用いてフォワーディングテーブルを検索し、次の転送先が第３のネットワークのネットワーク装置（ＣＥ１）である事を得て、ＣＥ１に関し端末情報テーブルを検索し、パケット転送に必要なエントリが存在しない場合はそのパケットを一時的に保存し、第２のネットワークに向けてＣＥ１に対してＡＲＰリクエストパケットを送信し、
ＰＥ１は、ＣＥ１から、ＡＲＰリクエストパケットに対する応答としてＡＲＰリプライパケットを受信し、
ＰＥ１は、ＡＲＰリプライパケットに基づき、端末情報テーブルに、ＶＰＮ番号に対して、ＶＬＡＮ番号及び宛先ＣＥ１のＩＰアドレス及びＭＡＣアドレスを記憶することで更新し、
ＰＥ１は、更新した端末情報テーブルを用いて、一時的に保存していた第１のパケットについて、宛先ＣＥ１のＭＡＣアドレス、送信元ＰＥ１のＭＡＣアドレス、ＶＬＡＮ番号を含むヘッダを、第３のパケットに含まれるＩＰパケットに付加した第４のパケットを作成し、
ＰＥ１は、第４のパケットを、ＣＥ１を経由して端末１に向け送信する
仮想ネットワーク接続方法。
【請求項３】
ＶＰＮを接続しＶＰＮの拠点間のパケット転送を行う第１のネットワークと、
端末１を有し、前記第１のネットワークにレイヤ３によって接続する第２のネットワークと、
端末２を有し、前記第１のネットワークにレイヤ２によって接続する第３のネットワークと
を備え、ＶＰＮを構成するネットワークシステムにおける仮想ネットワーク接続方法であって、
前記第２のネットワークを接続し、第１のネットワークに属する第１のネットワーク装置（ＰＥ１）を備え、
前記ＰＥ１は、
ＶＰＮ番号に対応して、宛先のＩＰアドレス、出力インターフェース（ＩＦ）、ネクストホップ、出力ラベルを対応して記憶するフォワーディングテーブルと、
ＶＰＮ番号に対応して、宛先のＩＰアドレス及びＭＡＣアドレスを記憶する端末情報テーブルと、
ＶＰＮ番号に対応して、ＶＬＡＮ番号、出力ラベル、入力ラベル、インターフェース（ＩＦ）を記憶するＭＰＬＳ情報テーブルと、を備え、
ＰＥ１は、端末１から端末２に向けたＭＰＬＳの第１のパケットを受信し、
ＰＥ１は、第１のパケットに基づき、ＶＰＮ番号及び宛先端末２のＩＰアドレスを用いてフォワーディングテーブルを検索し、パケット転送に必要な、出力ＩＦ及び／又は宛先第２のネットワーク装置（ＰＥ２）のＭＡＣアドレスが存在しない場合、第１のパケットを一時的に保存し、第１のネットワークを経由して端末２に対してＡＲＰリクエストパケットを送信し、
ＰＥ１は、端末２から、第１のネットワークを経由して、ＡＲＰリクエストパケットに対する応答としてＡＲＰリプライパケットを受信し、
ＰＥ１は、第１のパケットに含まれるＭＰＬＳ情報の入力ラベルから、ＭＰＬＳ情報テーブルを検索して、出力ラベルを得て、
ＰＥ１は、ＡＲＰリプライパケットに基づき、端末情報テーブルに、ＶＰＮ番号に対する、ＶＬＡＮ番号及び宛先端末２のＩＰアドレス及びＭＡＣアドレスを記憶することで、更新し、
ＰＥ１は、更新したフォワーディングテーブルと端末情報テーブルを用いて、一時的に保存していた第１のパケットについて、ＭＰＬＳ情報、宛先端末２のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、第１のネットワークを経由して端末２に向け送信する
仮想ネットワーク接続方法。
【請求項４】
請求項３記載の仮想ネットワーク接続方法であって、
ＰＥ１は、端末２から端末１に向けたＭＰＬＳの第１のパケットを受信し、
ＰＥ１は、第１のパケットに基づき、ＭＰＬＳ情報テーブルを検索してインターフェース及びＭＰＬＳ情報に含まれる入力ラベルによりＶＰＮ番号を求め、ＶＰＮ番号及び第１のパケットに含まれる宛先端末１のＩＰアドレスを用いてフォワーディングテーブルを検索し、次の転送先が第３のネットワークのネットワーク装置（ＣＥ１）である事を得て、ＣＥ１に関し端末情報テーブルを検索し、パケット転送に必要なエントリが存在しない場合はそのパケットを一時的に保存し、第２のネットワークに向けてＣＥ１に対してＡＲＰリクエストパケットを送信し、
ＰＥ１は、ＣＥ１から、ＡＲＰリクエストパケットに対する応答としてＡＲＰリプライパケットを受信し、
ＰＥ１は、ＡＲＰリプライパケットに基づき、端末情報テーブルに、ＶＰＮ番号に対して、ＶＬＡＮ番号及び宛先ＣＥ１のＩＰアドレス及びＭＡＣアドレスを記憶することで更新し、
ＰＥ１は、更新した端末情報テーブルを用いて、一時的に保存していた第１のパケットについて、宛先ＣＥ１のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、ＣＥ１を経由して端末１に向け送信する
仮想ネットワーク接続方法。
【請求項５】
ＶＰＮを構成するネットワークシステムにおいて、
ＶＰＮを接続しＶＰＮの拠点間のパケット転送を行う第１のネットワークと、
端末１を有し、前記第１のネットワークにレイヤ３によって接続する第２のネットワークと、
端末２を有し、前記第１のネットワークにレイヤ２によって接続する第３のネットワークと
を備え、  前記第２のネットワークを接続し、第１のネットワークに属する第１のネットワーク装置（ＰＥ１）を備え、
前記ＰＥ１は、
ＶＰＮ番号に対応して、宛先のＩＰアドレス、出力インターフェース（ＩＦ）、ネクストホップ、第１のネットワーク内で他のネットワークに接続される宛先ネットワーク装置（ＰＥ）のアドレスを対応して記憶するフォワーディングテーブルと、
ＶＰＮ番号に対応して、宛先のＩＰアドレス及びＭＡＣアドレスを記憶する端末情報テーブルと、
を備え、
ＰＥ１は、端末１から端末２に向けた第１のパケットを受信し、
ＰＥ１は、第１のパケットに基づき、ＶＰＮ番号及び宛先端末２のＩＰアドレスを用いてフォワーディングテーブルを検索し、パケット転送に必要な、出力ＩＦ及び／又は宛先第２のネットワーク装置（ＰＥ２）のＭＡＣアドレスが存在しない場合、第１のパケットを一時的に保存し、第１のネットワークを経由して端末２に対してＡＲＰリクエストパケットを送信し、
ＰＥ１は、端末２から、第１のネットワークを経由して、ＡＲＰリクエストパケットに対する応答としてＡＲＰリプライパケットを受信し、
ＰＥ１は、ＡＲＰリプライパケットに基づき、フォワーディングテーブルに、ＶＰＮ番号及び宛先ＩＰアドレスに対する、出力ＩＦ及び宛先ＰＥ２のＭＡＣアドレスを記憶し、また、端末情報テーブルに、ＶＰＮ番号に対する、ＶＬＡＮ番号及び宛先端末２のＩＰアドレス及びＭＡＣアドレスを記憶することで、更新し、
ＰＥ１は、更新したフォワーディングテーブルと端末情報テーブルを用いて、一時的に保存していた第１のパケットについて、宛先ＰＥ２のＭＡＣアドレス、送信元ＰＥ１のＭＡＣアドレス、ＶＰＮ番号、宛先端末２のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、第１のネットワークを経由して端末２に向け送信し、
ＰＥ１は、端末２から端末１に向けた第３のパケットを受信し、
ＰＥ１は、第３のパケットに基づき、ＶＰＮ番号及び宛先端末１のＩＰアドレスを用いてフォワーディングテーブルを検索し、次の転送先が第３のネットワークのネットワーク装置（ＣＥ１）である事を得て、ＣＥ１に関し端末情報テーブルを検索し、パケット転送に必要なエントリが存在しない場合はそのパケットを一時的に保存し、第２のネットワークに向けてＣＥ１に対してＡＲＰリクエストパケットを送信し、
ＰＥ１は、ＣＥ１から、ＡＲＰリクエストパケットに対する応答としてＡＲＰリプライパケットを受信し、
ＰＥ１は、ＡＲＰリプライパケットに基づき、端末情報テーブルに、ＶＰＮ番号に対して、ＶＬＡＮ番号及び宛先ＣＥ１のＩＰアドレス及びＭＡＣアドレスを記憶することで更新し、
ＰＥ１は、更新した端末情報テーブルを用いて、一時的に保存していた第３のパケットについて、宛先ＣＥ１のＭＡＣアドレス、送信元ＰＥ１のＭＡＣアドレス、ＶＬＡＮ番号を含むヘッダを、第３のパケットに含まれるＩＰパケットに付加した第４のパケットを作成し、
ＰＥ１は、第４のパケットを、ＣＥ１を経由して端末１に向け送信する
ネットワークシステム。
【請求項６】
請求項５記載のネットワークシステムであって、
第１のネットワーク内で他のネットワークに接続される宛先ネットワーク装置（ＰＥ）のアドレスは、ＭＡＣアドレスであって、
PE1は、ＭＡＣ−ｉｎ−ＭＡＣ（ＭＡＣ：Ｍｅｄｉａ  Ａｃｃｅｓｓ  Ｃｏｎｔｒｏｌ）にしたがって前記第１のネットワークにパケットを送信する、ネットワークシステム。
【請求項７】
請求項５記載のネットワークシステムであって、 
前記ＰＥ１は、
さらに、ＶＰＮ番号に対応して、ＶＬＡＮ番号、出力ラベル、入力ラベル、インターフェース（ＩＦ）を記憶するＭＰＬＳ情報テーブルと、
を備え、
ＰＥ１は、第１のパケットに含まれるＭＰＬＳ情報の入力ラベルから、ＭＰＬＳ情報テーブルを検索して、出力ラベルを得て、
ＰＥ１は、第３のパケットに基づき、ＭＰＬＳ情報テーブルを検索してインターフェース及びＭＰＬＳ情報に含まれる入力ラベルによりＶＰＮ番号を求め、前記求めたＶＰＮ番号と前記第三のパケットに含まれる宛先端末１のＩＰアドレスを用いて前記フォワーディングテーブルが検索され、 
ＰＥ１は、前記第４のパケットを作成する場合、さらに、更新したフォワーディングテーブルを用いて、一時的に保存していた第３のパケットについて、ＭＰＬＳ情報、宛先端末２のＭＡＣアドレス、送信元ＰＥ１のＭＡＣアドレス、ＶＬＡＮ番号を含むヘッダを生成する、
ネットワークシステム。
【請求項８】
ＶＰＮを接続しＶＰＮの拠点間のパケット転送を行う第１のネットワークと、
端末１を有し、前記第１のネットワークにレイヤ３によって接続する第２のネットワークと、
端末２を有し、前記第１のネットワークにレイヤ２によって接続する第３のネットワークと
を備え、ＶＰＮを構成するネットワークシステムにおいて、
前記第２のネットワークを接続し、第１のネットワークに属するネットワーク装置（ＰＥ１）であって、
前記ネットワーク装置は、
ＶＰＮ番号に対応して、宛先のＩＰアドレス、出力インターフェース（ＩＦ）、ネクストホップ、宛先ネットワーク装置（ＰＥ）のＭＡＣアドレスを対応して記憶するフォワーディングテーブルと、
ＶＰＮ番号に対応して、宛先のＩＰアドレス及びＭＡＣアドレスを記憶する端末情報テーブルと、
フォワーディングテーブル及び端末情報テーブルを用いて、パケットを転送処理する処理部と
を備え、
ＰＥ１は、端末１から端末２に向けた第１のパケットを受信し、
処理部は、第１のパケットに基づき、ＶＰＮ番号及び宛先端末２のＩＰアドレスを用いてフォワーディングテーブルを検索し、パケット転送に必要な、出力ＩＦ及び／又は宛先第２のネットワーク装置（ＰＥ２）のＭＡＣアドレスが存在しない場合、第１のパケットを一時的に保存し、第１のネットワークを経由して端末２に対してＡＲＰリクエストパケットを送信し、
処理部は、端末２から、第１のネットワークを経由して、ＡＲＰリクエストパケットに対する応答としてＡＲＰリプライパケットを受信し、
処理部は、ＡＲＰリプライパケットに基づき、フォワーディングテーブルに、ＶＰＮ番号及び宛先ＩＰアドレスに対する、出力ＩＦ及び宛先ＰＥ２のＭＡＣアドレスを記憶し、また、端末情報テーブルに、ＶＰＮ番号に対する、ＶＬＡＮ番号及び宛先端末２のＩＰアドレス及びＭＡＣアドレスを記憶することで、更新し、
処理部は、更新したフォワーディングテーブルと端末情報テーブルを用いて、一時的に保存していた第１のパケットについて、宛先ＰＥ２のＭＡＣアドレス、送信元ＰＥ１のＭＡＣアドレス、ＶＰＮ番号、宛先端末２のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、第１のネットワークを経由して端末２に向け送信する
ネットワーク装置。
【請求項９】
ＶＰＮを接続しＶＰＮの拠点間のパケット転送を行う第１のネットワークと、
端末１を有し、前記第１のネットワークにレイヤ３によって接続する第２のネットワークと、
端末２を有し、前記第１のネットワークにレイヤ２によって接続する第３のネットワークと
を備え、ＶＰＮを構成するネットワークシステムにおいて、
前記第２のネットワークを接続し、第１のネットワークに属するネットワーク装置（ＰＥ１）であって、
前記ＰＥ１は、
ＶＰＮ番号に対応して、宛先のＩＰアドレス、出力インターフェース（ＩＦ）、ネクストホップ、宛先ネットワーク装置（ＰＥ）のＭＡＣアドレスを対応して記憶するフォワーディングテーブルと、
ＶＰＮ番号に対応して、宛先のＩＰアドレス及びＭＡＣアドレスを記憶する端末情報テーブルと、
フォワーディングテーブル及び端末情報テーブルを用いて、パケットを転送処理する処理部と
を備え、
処理部は、端末２から端末１に向けた第１のパケットを受信し、
処理部は、第１のパケットに基づき、ＶＰＮ番号及び宛先端末１のＩＰアドレスを用いてフォワーディングテーブルを検索し、次の転送先が第３のネットワークのネットワーク装置（ＣＥ１）である事を得て、ＣＥ１に関し端末情報テーブルを検索し、パケット転送に必要なエントリが存在しない場合はそのパケットを一時的に保存し、第２のネットワークに向けてＣＥ１に対してＡＲＰリクエストパケットを送信し、
処理部は、ＣＥ１から、ＡＲＰリクエストパケットに対する応答としてＡＲＰリプライパケットを受信し、
処理部は、ＡＲＰリプライパケットに基づき、端末情報テーブルに、ＶＰＮ番号に対して、ＶＬＡＮ番号及び宛先ＣＥ１のＩＰアドレス及びＭＡＣアドレスを記憶することで更新し、
処理部は、更新した端末情報テーブルを用いて、一時的に保存していた第１のパケットについて、宛先ＣＥ１のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、ＣＥ１を経由して端末１に向け送信する
ネットワーク装置。
【請求項１０】
ＶＰＮを接続しＶＰＮの拠点間のパケット転送を行う第１のネットワークと、
端末１を有し、前記第１のネットワークにレイヤ３によって接続する第２のネットワークと、
端末２を有し、前記第１のネットワークにレイヤ２によって接続する第３のネットワークと
を備え、ＶＰＮを構成するネットワークシステムにおいて、
前記第２のネットワークを接続し、第１のネットワークに属するネットワーク装置（ＰＥ１）であって、
前記ＰＥ１は、
ＶＰＮ番号に対応して、宛先のＩＰアドレス、出力インターフェース（ＩＦ）、ネクストホップ、出力ラベルを対応して記憶するフォワーディングテーブルと、
ＶＰＮ番号に対応して、宛先のＩＰアドレス及びＭＡＣアドレスを記憶する端末情報テーブルと、
ＶＰＮ番号に対応して、ＶＬＡＮ番号、出力ラベル、入力ラベル、インターフェース（ＩＦ）を記憶するＭＰＬＳ情報テーブルと、
フォワーディングテーブル及び端末情報テーブルを用いて、パケットを転送処理する処理部とを備え、
ＰＥ１は、端末１から端末２に向けたＭＰＬＳの第１のパケットを受信し、
処理部は、第１のパケットに基づき、ＶＰＮ番号及び宛先端末２のＩＰアドレスを用いてフォワーディングテーブルを検索し、パケット転送に必要な、出力ＩＦ及び／又は宛先第２のネットワーク装置（ＰＥ２）のＭＡＣアドレスが存在しない場合、第１のパケットを一時的に保存し、第１のネットワークを経由して端末２に対してＡＲＰリクエストパケットを送信し、
処理部は、端末２から、第１のネットワークを経由して、ＡＲＰリクエストパケットに対する応答としてＡＲＰリプライパケットを受信し、
処理部は、第１のパケットに含まれるＭＰＬＳ情報の入力ラベルから、ＭＰＬＳ情報テーブルを検索して、出力ラベルを得て、
処理部は、ＡＲＰリプライパケットに基づき、端末情報テーブルに、ＶＰＮ番号に対する、ＶＬＡＮ番号及び宛先端末２のＩＰアドレス及びＭＡＣアドレスを記憶することで、更新し、
処理部は、更新したフォワーディングテーブルと端末情報テーブルを用いて、一時的に保存していた第１のパケットについて、ＭＰＬＳ情報、宛先端末２のＭＡＣアドレス、送信元ＰＥ１のＭＡＣアドレス、ＶＬＡＮ番号を含むヘッダを、第１のパケットに含まれるＩＰパケットに付加した第２のパケットを作成し、
ＰＥ１は、第２のパケットを、第１のネットワークを経由して端末２に向け送信し、
端末２から端末１に向けたＭＰＬＳの第３のパケットを受信し、
処理部は、第３のパケットに基づき、ＭＰＬＳ情報テーブルを検索してインターフェース及びＭＰＬＳ情報に含まれる入力ラベルによりＶＰＮ番号を求め、ＶＰＮ番号及び第１のパケットに含まれる宛先端末１のＩＰアドレスを用いてフォワーディングテーブルを検索し、次の転送先が第３のネットワークのネットワーク装置（ＣＥ１）である事を得て、ＣＥ１に関し端末情報テーブルを検索し、パケット転送に必要なエントリが存在しない場合はそのパケットを一時的に保存し、第２のネットワークに向けてＣＥ１に対してＡＲＰリクエストパケットを送信し、
処理部は、ＣＥ１から、ＡＲＰリクエストパケットに対する応答としてＡＲＰリプライパケットを受信し、
処理部は、ＡＲＰリプライパケットに基づき、端末情報テーブルに、ＶＰＮ番号に対して、ＶＬＡＮ番号及び宛先ＣＥ１のＩＰアドレス及びＭＡＣアドレスを記憶することで更新し、
処理部は、更新した端末情報テーブルを用いて、一時的に保存していた第１のパケットについて、宛先ＣＥ１のＭＡＣアドレス、送信元ＰＥ１のＭＡＣアドレス、ＶＬＡＮ番号を含むヘッダを、第３のパケットに含まれるＩＰパケットに付加した第４のパケットを作成し、
ＰＥ１は、第４のパケットを、ＣＥ１を経由して端末１に向け送信する
ネットワーク装置。
【請求項１１】
請求項６に記載のネットワークシステムにおいて、
ＰＥ１は、ＡＲＰリクエストパケットを作成する際、
ＶＰＮ番号と宛先ＩＰアドレスに対応するＶＬＡＮ番号を得て、
宛先ＰＥのＭＡＣアドレスをブロードキャストアドレスとし、送信元ＰＥのＭＡＣアドレスをＰＥ１のＭＡＣアドレスとし、ＶＰＮ情報を取得したＶＰＮ番号とし、宛先ユーザのＭＡＣアドレスをブロードキャストアドレスとし、送信元ユーザのＭＡＣアドレスをＰＥ１のＭＡＣアドレスとし、ＶＬＡＮ番号を含むヘッダを作成し、ＩＰパケットを宛先ＩＰアドレスのＡＲＰ解決を要求するためのＡＲＰパケットのフォーマットとして、前記ヘッダを付加することにより、ＡＲＰリクエストパケットを作成する
ことを特徴とするネットワークシステム。
【請求項１２】
請求項６に記載のネットワークシステムにおいて、
フォワーディングテーブル及び端末情報テーブルの更新後、端末１が端末２に向けて送信する第３のパケットは、ＰＥ１が、更新されたフォワーディングテーブル及び／又は端末情報テーブルを検索することで必要なエントリを得ることで、ＡＲＰによる隣接探索は行わずパケット処理を行い、第４のパケットを作成し、端末２に向けて送信することを特徴とするネットワークシステム。
【請求項１３】
請求項６に記載のネットワークシステムにおいて、
ＰＥ１は、端末１から第１のパケットを受信すると、パケットを受信したインタフェースＩＦ１に該当するＶＰＮ番号と、第１のパケットのＩＰパケットに含まれる宛先端末２の宛先ＩＰアドレスを取得し、
ＰＥ１は、取得したＶＰＮ番号と宛先ＩＰアドレスを用いて、フォワーディングテーブルを検索し、該当するエントリの出力インタフェース番号及び／又は宛先ＰＥのＭＡＣアドレスが未定である場合、ＰＥ１は、隣接探索を行うため、第１のパケットを一時的に保存し、ＡＲＰリクエストパケットを作成し、ＡＲＰリクエストパケットを、第１のネットワークに向けて送信し、
ＰＥ１は、端末２からＡＲＰリプライパケットをインタフェースＩＦ２から受信すると、端末情報テーブルに、ＡＲＰリプライパケットに含まれる、端末２の所属するＶＰＮ番号及び端末２の所属するＶＬＡＮ番号、端末２のＩＰアドレス、端末２のＭＡＣアドレスを、対応して記憶し、また、フォワーディングテーブルに、ＡＲＰリプライパケットに含まれる、端末２の所属するＶＰＮ番号、端末２のＩＰアドレス、ＰＥ２のＭＡＣアドレス、ＡＲＰリプライパケットを受信したインタフェースＩＦ２を、対応して記憶し、
ＰＥ１は、第１のパケットから取得したＶＰＮ番号と宛先端末２のＩＰアドレスに基づき、宛先ＰＥのＭＡＣアドレスをフォワーディングテーブルに格納されているＰＥ２のＭＡＣアドレスとし、送信元ＰＥのＭＡＣアドレスをＰＥ１のＭＡＣアドレスとし、ＶＰＮ番号情報を取得したＶＰＮ番号とし、宛先ユーザＭＡＣアドレスを端末情報テーブルに格納されている端末２のＭＡＣアドレスとし、送信元ユーザＭＡＣアドレスをＰＥ１のＭＡＣアドレスとし、ユーザＶＬＡＮＴａｇを端末情報テーブルに格納されている端末２の所属するＶＬＡＮ番号とし、ＩＰパケットを第１のパケットから変更しないことにより、第２のパケットを作成し、
ＰＥ１は、作成した第２のパケットを、第１のネットワークに接続しているインタフェースであるＩＦ２に向けて送信し、
ＰＥ１が、端末２から第３のパケットを受信すると、パケットを受信したインタフェースＩＦ２に該当する、ＶＰＮ番号と宛先端末１の宛先ＩＰアドレスを取得し、
ＰＥ１は、取得したＶＰＮ番号と宛先ＩＰアドレスを用いて、フォワーディングテーブルを検索し、パケットの転送先が出力インタフェース番号がＩＦ１であり、ネクストホップ情報がＣＥ１のＩＰアドレスであることを求め、
パケットの転送先であるＣＥ１のＭＡＣアドレスを求めるために、端末情報テーブルをＶＰＮ番号とＣＥ１のＩＰアドレスにて検索するが、エントリが存在しない場合、第１のパケットを一時的に保存し、ＡＲＰリクエストパケットを作成し、作成したＡＲＰリクエストパケットを、インタフェースＩＦ１に向けて送信し、
ＰＥ１は、ＡＲＰリプライパケットをＩＦ１から受信し、
ＰＥ１は、端末情報テーブルに、ＣＥ１の所属するＶＰＮ番号に対して、ＡＰＲリプライパケットＰに含まれる、ＣＥ１の所属するＶＬＡＮ番号、ＣＥ１のＩＰアドレス、ＣＥ１のＭＡＣアドレスを記憶し、
ＰＥ１は、受信したパケットから取得したＶＰＮ番号と宛先ＩＰアドレスに基づき、フォワーディングテーブルを検索し、パケットの転送先インタフェースＩＦ１と、ネクストホップのＣＥ１のＩＰアドレスを得て、ＶＰＮ番号とＣＥ１のＩＰアドレスを用いて、端末情報テーブを検索し、ＶＬＡＮ番号とＣＥ１のＭＡＣアドレスを求め、
ＰＥ１は、宛先ユーザＭＡＣアドレスを端末情報テーブルに格納されているＣＥ１のＭＡＣアドレスとし、送信元ユーザＭＡＣアドレスをＰＥ１のＭＡＣアドレスとし、ユーザＶＬＡＮＴａｇを端末情報テーブルに格納されているＣＥ１の所属するＶＬＡＮ番号とし、ＩＰパケットは第３のパケットから変更しないことにより、第４のパケットを作成し、
ＰＥ１は、作成した第３のパケットを、第２のネットワークに接続しているインタフェースであるＩＦ１に向けて送信する
ことを特徴とするネットワークシステム。